(57)【要約】【課題】生活シーンごとに応じた状態リストを選択し、機器の動作状態が変更された場合には変更後の状態を記録できる機器制御装置および機器管理システムを提供する。【解決手段】機器や装置との間で信号の送受信を行う通信手段１９と、生活シーンを複数のモードに分けて一のモードごとに各機器の動作状態を対応させたデータからなる状態リスト１２を記録する記録媒体１１と、通信手段１９によって入力された信号に基づいて各機器の動作状態を監視する監視手段１７と、機器の動作状態の変更を検出すると状態リスト１２のデータを当該変更に合わせて更新する記録更新手段１６と、入力装置５０等（端末装置）から行われたモードの設定指示を受けて各機器について状態リスト１２から読み出した動作状態のデータ内容に従って通信手段１９により信号を各機器に伝達して動作を一括に制御する一括制御手段１５とを有する。【選択図】図１
2008191757.tif 000002
【特許請求の範囲】
【請求項１】
センサ端末，家電機器，住宅設備機器などのような複数の機器について、各機器の動作を個別に制御する機器制御装置であって、
機器や装置との間で信号の送受信を行う通信手段と、
生活シーンを複数のモードに分け、一のモードごとに各機器の動作状態を対応させたデータからなる状態リストを記録する記録媒体と、
前記通信手段によって入力された信号に基づいて、各機器の動作状態を監視する監視手段と、
機器の動作状態が変更されたことを前記監視手段が検出すると、検出時のモードに対応する当該機器の動作状態にかかる状態リストのデータを当該変更に合わせて更新する記録更新手段と、
端末装置から行われたモードの設定指示を受けて、設定指示がされたモードに対応する各機器について動作状態のデータを前記状態リストから読み出し、読み出したデータ内容に従って前記通信手段により信号を各機器に伝達して動作を一括に制御する一括制御手段とを有する機器制御装置。
【請求項２】
センサ端末，家電機器，住宅設備機器などのような複数の機器について、各機器の動作を個別に制御する機器制御装置であって、
機器や装置との間で信号の送受信を行う通信手段と、
生活シーンを複数のモードに分け、一のモードごとに各機器の動作状態を対応させたデータからなる状態リストと、在宅者とモードとの対応関係を規定する在宅者対応モード情報とを記録する記録媒体と、
前記通信手段によって入力された信号に基づいて、各機器の動作状態を監視する監視手段と、
機器の動作状態が変更されたことを前記監視手段が検出すると、検出時のモードに対応する当該機器の動作状態にかかる状態リストのデータを当該変更に合わせて更新する記録更新手段と、
在宅者を検出して特定する在宅者特定手段と、
前記在宅者特定手段によって特定された在宅者に基づいて前記在宅者対応モード情報を参照して対応関係にあるモードを選択し、選択されたモードに対応する各機器について動作状態のデータを前記状態リストから読み出し、読み出したデータ内容に従って前記通信手段により信号を各機器に伝達して動作を一括に制御する一括制御手段とを有する機器制御装置。
【請求項３】
請求項１または２に記載した機器制御装置であって、
記録更新手段は、機器の動作状態が変更されたことを監視手段が検出すると、所定の更新条件を満たすときは検出時のモードに対応する当該機器の動作状態にかかる状態リストのデータを更新する機器制御装置。
【請求項４】
請求項１から３のいずれか一項に記載した機器制御装置であって、
一括制御手段は、設定指示がされたモードを特定するモード特定情報と設定指示を受けた日時や曜日等に関する時期情報とを対応させて記録媒体に記録し、記録された時期情報の日時や曜日等になると対応するモードを設定し、設定したモードに従って各機器の動作を一括に制御する機器制御装置。
【請求項５】
請求項１から４のいずれか一項に記載した機器制御装置であって、
一括制御手段による制御を除いて機器の動作状態が変更されたことを監視手段が検出すると、検出時のモードに対応する機器の動作状態について状態リストのデータを参照し、当該状態リストに記録された動作状態と検出された動作状態とが一致しなければ、動作状態が不一致の機器に関する情報を報知する報知手段を有する機器制御装置。
【請求項６】
請求項１から５のいずれか一項に記載した複数の機器制御装置と通信可能であって、
前記複数の機器制御装置のうちで一以上の機器制御装置における記録媒体に記録された状態リストを通信手段を介して受信するリスト受信手段と、
前記リスト受信手段によって受信された一以上の状態リストに基づいて、各状態リストに含まれるモードごとに所定の抽出条件を満たす機器の動作状態を抽出する状態抽出手段と、
前記状態抽出手段によって抽出された機器の動作状態に基づいて、基準の状態リストにおける該当個所を修正する記録修正手段と、
前記複数の機器制御装置における各記録媒体に記録するために、前記記録修正手段によって修正された状態リストを送信するリスト送信手段とを有する機器管理システム。
【発明の詳細な説明】
【技術分野】
【０００１】
本発明は、センサ端末，家電機器，住宅設備機器などのような複数の機器を一括して制御する機器制御装置および機器管理システムに関する。
【背景技術】
【０００２】
センサ端末，家電機器，住宅設備機器などのような複数の機器では、センサ端末の警戒モード設定・解除を行ったり、各機器の制御を行うために操作する画面やスイッチ等が個別に存在する。従来では、警戒モードの種別ごとに家電機器や住宅設備機器などを制御するシステムが開示されている（例えば特許文献１を参照）。また、スケジュール情報に従って各機器の動作状態を変更する制御を行うシステムが開示されている（例えば特許文献２を参照）。
【特許文献１】特開２００５−３３２０２２
【特許文献２】特開２００５−１８２４７１
【発明の開示】
【発明が解決しようとする課題】
【０００３】
しかし、特許文献１に開示されたシステムにおける警戒モードごとの制御内容や、特許文献２に開示されたシステムにおけるスケジュール情報は、いずれも固定されている。生活スタイルに合わない制御が行われる場合には、その都度手動で機器の動作状態を変更しなければならなかった。そのために操作が煩わしいという問題があった。
【０００４】
本発明はこのような点に鑑みてなしたものであり、生活シーンごとに応じた状態リストを選択し、機器の動作状態が変更された場合には変更後の状態を記録できる機器制御装置および機器管理システムを提供することを目的とする。
【課題を解決するための手段】
【０００５】
（１）課題を解決するための手段（以下では単に「解決手段」と呼ぶ。）１は、センサ端末，家電機器，住宅設備機器などのような複数の機器について、各機器の動作を個別に制御する機器制御装置であって、機器や装置との間で信号の送受信を行う通信手段と、生活シーンを複数のモードに分け、一のモードごとに各機器の動作状態を対応させたデータからなる状態リストを記録する記録媒体と、前記通信手段によって入力された信号に基づいて、各機器の動作状態を監視する監視手段と、機器の動作状態が変更されたことを前記監視手段が検出すると、検出時のモードに対応する当該機器の動作状態にかかる状態リストのデータを当該変更に合わせて更新する記録更新手段と、端末装置から行われたモードの設定指示を受けて、設定指示がされたモードに対応する各機器について動作状態のデータを前記状態リストから読み出し、読み出したデータ内容に従って前記通信手段により信号を各機器に伝達して動作を一括に制御する一括制御手段とを有することを要旨とする。
【０００６】
なお、「センサ端末」には例えば人感センサ，開閉センサ，警報用センサ（すなわち火災警報機やガス漏れ警報機等）などが該当し、「家電機器」には例えばパソコン，カメラ（ネットワークカメラやデジタルカメラ等を含む），電話機（ＩＰ電話機を含む），プリンタ，電力線通信が可能なコンセント，テレビ，ビデオ，冷蔵庫，ステレオ装置等が該当し、「住宅設備機器」には例えば床暖房，浴室ユニット，照明器具，エアコン，コンロ等が該当する。
また、生活シーンを複数に分けた「モード」は、例えば在宅／外出／居留守／留守番／就寝／帰宅直前などが該当する。
さらに、機器の「動作状態」はオン／オフ／現状維持のみとしてもよく、機器が制御する制御量（例えば温度，湿度，湯量，照度，火力など）を加えてもよい。
【０００７】
解決手段１によれば、機器の動作状態が変更されたことを監視手段が検出すると、検出時のモードに対応する当該機器の動作状態にかかる状態リストのデータを当該変更に合わせて更新する。当該モードで再び設定指示がされると、更新されたデータに基づいて機器の動作状態が制御される。各モードの制御内容を生活スタイルに合わせて自動的に変更するので、設定操作の手間は増えない。
【０００８】
（２）解決手段２は、センサ端末，家電機器，住宅設備機器などのような複数の機器について、各機器の動作を個別に制御する機器制御装置であって、機器や装置との間で信号の送受信を行う通信手段と、生活シーンを複数のモードに分け、一のモードごとに各機器の動作状態を対応させたデータからなる状態リストと、在宅者とモードとの対応関係を規定する在宅者対応モード情報とを記録する記録媒体と、前記通信手段によって入力された信号に基づいて、各機器の動作状態を監視する監視手段と、機器の動作状態が変更されたことを前記監視手段が検出すると、検出時のモードに対応する当該機器の動作状態にかかる状態リストのデータを当該変更に合わせて更新する記録更新手段と、在宅者を検出して特定する在宅者特定手段と、前記在宅者特定手段によって特定された在宅者に基づいて前記在宅者対応モード情報を参照して対応関係にあるモードを選択し、選択されたモードに対応する各機器について動作状態のデータを前記状態リストから読み出し、読み出したデータ内容に従って前記通信手段により信号を各機器に伝達して動作を一括に制御する一括制御手段とを有することを要旨とする。
【０００９】
なお、「在宅者特定手段」は在宅者（家族の構成員や来客等）を検出して特定できれば任意であり、例えば外出者が携帯する携帯端末機（例えばＩＣカード，無線ＩＣタグ，携帯電話機等）を通じて伝達する信号や、人物を検出したセンサ端末の位置や個数等、バイオメトリクス認証（指紋，掌紋，網膜紋，血管網，声紋等）などが該当する。
【００１０】
解決手段２によれば、機器の動作状態が変更されたことを監視手段が検出すると、検出時のモードに対応する当該機器の動作状態にかかる状態リストのデータを当該変更に合わせて更新する。外出などで在宅者特定手段によって特定された在宅者に変更があれば、在宅者に対応するモードが設定されたうえで、更新されたデータに基づいて機器の動作状態が制御される。各モードの制御内容を生活スタイルおよび在宅者を考慮して自動的に変更するので、設定操作の手間は増えない。
【００１１】
（３）解決手段３は、解決手段１または２に記載した機器制御装置であって、記録更新手段は、機器の動作状態が変更されたことを監視手段が検出すると、所定の更新条件を満たすときは検出時のモードに対応する当該機器の動作状態にかかる状態リストのデータを更新することを要旨とする。
なお、監視手段によって検出される動作状態の変更が「一括制御手段による制御」に基づくか否かは、例えば一括制御手段による制御を行ってから一定時間内の変更か否か、あるいは各機器から返される信号に「一括制御手段による制御」であることを示す情報が含まれているか否かなどで判別する必要がある。また、「所定の更新条件」は任意の条件を設定可能であるが、例えば変更回数が一定回数（５回や７回等）、一括制御手段による制御が行われてから一定時間（５分間や１０分間等）内などが該当する。
【００１２】
解決手段３によれば、機器の動作状態が変更され、かつ所定の更新条件を満たす場合に限って状態リストのデータを更新する。よって、変更の必要性が高い機器の動作状態にかかるデータのみを更新することができる。
【００１３】
（４）解決手段４は、解決手段１から３のいずれか一項に記載した機器制御装置であって、一括制御手段は、設定指示がされたモードを特定する情報と設定指示を受けた日時に関する情報とを記録媒体に記録し、記録された日時に関する情報に従ってモードを設定し、設定したモードに対応して各機器の動作を一括に制御することを要旨とする。
なお、「モードを特定する情報」には例えばモードの名称，番号，記号等が該当し、「日時に関する情報」には例えば日付，曜日，時刻，季節等が該当する。
【００１４】
解決手段４によれば、端末装置からモードの設定指示が行われると、モードを特定する情報と日時に関する情報とが記録媒体に記録されるので、どのようなタイミングでモードの設定指示が行われるかを把握することができる。また、記録された日時に関する情報と同じ日時等になると、記録されたモードに自動的に設定するので、生活スタイルに合わせてモードが自動的に設定される。よって、モードの設定を自動化することができる。
【００１５】
（５）解決手段５は、解決手段１から４のいずれか一項に記載した機器制御装置であって、一括制御手段による制御を除いて機器の動作状態が変更されたことを監視手段が検出すると、検出時のモードに対応する機器の動作状態について状態リストのデータを参照し、当該状態リストに記録された動作状態と検出された動作状態とが一致しなければ、動作状態が不一致の機器に関する情報を報知する報知手段を有することを要旨とする。
なお、「機器に関する情報」には、例えば機器の名称，番号，記号等が該当する。また、報知手段による報知には、表示装置の表示，スピーカによる音の出力，振動体による振動、ネットワーク（インターネットや専用通信線等）を介して機器管理システムや端末装置への伝達などが該当する。
【００１６】
一括制御手段による制御を除いて機器の動作状態が変更されると、一般的には異常な状態（例えば機器の故障や侵入者による操作等）が発生している可能性がある。解決手段５によれば、状態リストに記録された動作状態と検出された動作状態とが一致しないときは、報知手段が動作状態の不一致になった機器に関する情報を報知するので、どの機器で異常が発生した可能性があるのかを素早く知ることができる。
さらに、例えば床暖房やエアコン等について設定温度の変更や、冷蔵庫について扉開閉に伴う内部温度の上昇等のように、機器の動作状態について変更にかかる具体的な内容を検出できる場合には、機器に関する情報とともに検出できた内容を報知するのが望ましい。こうすれば、異常発生の原因を特定し易くなる。
【００１７】
（６）解決手段６は、解決手段１から５のいずれか一項に記載した複数の機器制御装置と通信可能であって、前記複数の機器制御装置のうちで一以上の機器制御装置における記録媒体に記録された状態リストを通信手段を介して受信するリスト受信手段と、前記リスト受信手段によって受信された一以上の状態リストに基づいて、各状態リストに含まれるモードごとに所定の抽出条件を満たす機器の動作状態を抽出する状態抽出手段と、前記状態抽出手段によって抽出された機器の動作状態に基づいて、基準の状態リストにおける該当個所を修正する記録修正手段と、前記複数の機器制御装置における各記録媒体に記録するために、前記記録修正手段によって修正された状態リストを送信するリスト送信手段とを有することを要旨とする。
なお、「所定の抽出条件」は任意の条件を設定可能であるが、例えば更新回数が一定回数（５回や７回等）に達したこと、同一モードで同一機器の動作状態についての更新が一定比率（５％や１０％等）に達したこと、一定時間（１時間や１日間等）内に更新が二回以上行われたことなどが該当する。
【００１８】
解決手段６によれば、機器管理システムから通信手段によって通信可能な複数の機器制御装置について、一以上の機器制御装置から送信された状態リストを受信すると、状態抽出手段によって各状態リストに含まれるモードごとに所定の抽出条件を満たす機器の動作状態を抽出し、さらに記録修正手段によって基準の状態リスト（以下では「基準リスト」と呼ぶ。）における該当個所を修正する。こうして修正された状態リスト（以下では「修正リスト」と呼ぶ。）は、修正時における平均的な生活スタイルを反映した状態リストになるので、リスト送信手段が修正リストを全ての機器制御装置に送信して記録媒体に記録させる。生活スタイルは年々変化してゆくので、その年々に合わせた標準的な状態リストを提供し、機器の動作状態を変更するための設定操作を減らすことができる。
【発明の効果】
【００１９】
本発明によれば、状態リストを記録媒体に予め記録しておき、生活シーンに対応したモードの設定を行うのみで各機器の動作状態を自動的に変更される。したがって、従来よりも設定操作を簡易化することができる。
【発明を実施するための最良の形態】
【００２０】
本発明を実施するための最良の形態について、図面を参照しながら説明する。
【００２１】
〔実施の形態１〕
実施の形態１は機器制御装置の実施例であって、図１から図５までを参照しながら説明する。図１には機器制御装置の構成例をブロック図で模式的に表す。図２には状態リストの一例を表す。図３には一括制御処理の手続き例をフローチャートで表す。図４にはモード特定情報と時期情報の記録例を表す。図５にはデータ更新処理の手続き例をフローチャートで表す。
【００２２】
図１に表す機器制御装置１０は「サーバ」とも呼ばれ、後述する通信手段１９を通じて複数の機器を一括して制御する。複数の機器は屋内に設置されて信号（アナログやデジタルの種類を問わない。以下同様とする。）の伝達によって制御が可能な機器であって、例えば住宅設備機器や、センサ端末、家電機器等が該当する。住宅設備機器は、床暖房器３０，給湯器３１，コンロ３２，エアコン３３，照明器具３４，燃料電池，電磁調理器等が該当する。センサ端末には、ガスセンサや火災報知器のほか、セキュリティセンサとしてのリビング窓開閉センサ３５，寝室窓開閉センサ３６，玄関窓開閉センサ３７，リビング人感センサ３８，寝室人感センサ３９，廊下人感センサ４０等が該当する。家電機器には、パソコン，カメラ（ネットワークカメラやデジタルカメラ等を含む），電話機（ＩＰ電話機を含む），プリンタ，電力線通信が可能なコンセント，テレビ，ビデオ，冷蔵庫，電子レンジ，ステレオ装置等が該当する。図１では簡単のために１台ずつ接続した例を示すが、同一機器を２台以上接続する場合もある。
【００２３】
機器制御装置１０は、記録媒体１１，一括制御手段１５，記録更新手段１６，監視手段１７，報知手段１８，通信手段１９などを有する。少なくとも一括制御手段１５，記録更新手段１６，監視手段１７，報知手段１８は、それぞれがＲＯＭ等に記憶されたプログラムをＣＰＵが実行することによって実現する。
【００２４】
記録媒体１１は例えばメモリやディスク記録装置などが該当し、状態リスト１２，モード特定情報１３，時期情報１４などを記録する。モード特定情報１３は、設定指示がされたモードを特定する情報であって、例えばモードの名称，番号，記号等が該当する。時期情報１４は、設定指示を受けた日時や曜日等に関する情報であって、例えば日付，曜日，時刻，季節等が該当する。
【００２５】
状態リスト１２は、生活シーンを複数のモードに分け、一のモードごとに各機器の動作状態を対応させたデータで構成される。モードは、例えば在宅／外出／居留守／留守番／就寝／帰宅直前などが該当し、モードのみで記録してもよく、モードと他の事項を組み合わせて記録してもよい。他の事項は、例えば季節（春／夏／秋／冬）、暦（平日／休日／曜日など）、期間（午前／午後／終日／昼間／夜間など）等が該当する。
【００２６】
例えば生活シーンを在宅／外出／居留守／留守番／就寝／帰宅直前に分け、他の事項としての季節を夏／冬に分けて記録した状態リスト１２の一例を図２に表す。図２には初期状態の設定データを表し、動作状態をオン／オフ／現状維持のみとしている。図中に表す「○」は該当機器をオンする制御を行い、「×」は該当機器をオフする制御を行い、「−」は該当機器の現状を維持する制御を行うことを意味するデータ表現である。
【００２７】
図１に戻って、一括制御手段１５は、入力装置５０から行われたモードの設定指示を受けて、設定指示がされたモードに対応する各機器について動作状態のデータを状態リスト１２から読み出し、読み出したデータ内容に従って通信手段１９により信号を各機器に伝達して動作を一括に制御する。入力装置５０が表示装置５１の近傍に位置するか一体になっているときは、設定指示を促すガイダンスとともに、現時点における状態リスト１２の内容（例えばリストの全データや、選択中のモードに対応した機器のデータ等）を表示装置５１に表示するのが望ましい。
【００２８】
通信手段１９は、機器や装置との間で信号の送受信を行う。監視手段１７は、通信手段１９によって入力された信号に基づいて、各機器の動作状態を監視する。記録更新手段１６は、機器の動作状態が変更されたことを監視手段１７が検出すると、検出時のモードに対応する当該機器の動作状態にかかる状態リストのデータを当該変更に合わせて更新する。報知手段１８は、一括制御手段１５による制御を除いて機器の動作状態が変更されたことを監視手段１７が検出すると、検出時のモードに対応する機器の動作状態について状態リスト１２のデータを参照し、状態リスト１２に記録された動作状態と検出された動作状態とが一致しなければ、動作状態が不一致の機器に関する情報を報知する。
【００２９】
上述のように構成された機器制御装置１０において、機器の一括制御を行う例について図３，図５を参照しながら説明する。なお、図３の一括制御処理と図５のデータ更新処理とは、機器制御装置１０の電源がオンである間に並行して繰り返し実行される。
【００３０】
まず図３の一括制御処理において、時期情報１４の日時や曜日等に達していないとき（ステップＳ１０でＮＯ）、入力装置５０からモードの設定指示を受けた場合は（ステップＳ１１でＹＥＳ）、設定指示がされたモードを特定するモード特定情報１３と設定指示を受けた日時や曜日等に関する時期情報１４とを対応させて記録媒体１１に記録し〔ステップＳ１２〕、設定指示されたモードで設定（変更を含む。以下同様である。）する〔ステップＳ１３〕。
【００３１】
ステップＳ１２で行った記録の一例を図４に表す。本例では、モード特定情報１３（図４の左欄）としてモードの名称を記録し、時期情報１４（図４の右欄）として日付と時刻を記録している。ステップＳ１０の判別に際しては、平均した日時や曜日等としたり、記録した中で最も早い日時や曜日等としたり、記録した中で最も遅い日時や曜日等としてもよい。どの日時や曜日等を用いるかは、利用者が生活スタイルに合わせて入力装置５０から選択できるように構成するのが望ましい。
【００３２】
上述したステップＳ１２の記録によって、次回以降の処理において時期情報１４の日時や曜日等に達すると（ステップＳ１０でＹＥＳ）、当該時期情報１４に対応するモードで設定し〔ステップＳ１３〕、現在の日付，曜日，時刻，気温（室温），天候等に基づいて他の事項を自動的に設定する〔ステップＳ１４〕。
【００３３】
続いて、ステップＳ１３で設定されたモードと、ステップＳ１４で設定された他の事項とに基づいて、記録媒体１１に記憶された状態リスト１２から動作状態のデータを読み出し〔ステップＳ１５〕、読み出したデータ内容に従って通信手段１９により信号を各機器に伝達して動作を一括に制御し〔ステップＳ１６〕、一括制御処理を終える。
【００３４】
ステップＳ１６は一括制御手段１５に相当し、例えばモードで生活シーンの「外出」が設定され、他の事項で季節の「夏」が設定されると、図２に一点鎖線で表すデータ群１２ａに従って各機器が一括制御される。すなわち各機器に信号を送って、床暖房器３０をオフにし、給湯器３１を現状維持し、コンロ３２をオフにし、…、寝室人感センサ３９をオンにし、廊下人感センサ４０をオンにする制御を一括して行う。
【００３５】
図５のデータ更新処理において、各機器から通信手段１９を通じて動作状態を表す信号を受信して監視し〔ステップＳ２０〕、動作状態（本例ではオン／オフのみ）が変更された機器があるときは（ステップＳ２１でＹＥＳ）、以下に説明するステップＳ２２〜Ｓ２６のいずれかを実行する。なお、ステップＳ２０は後述するステップＳ２５とともに監視手段１７に相当する。その一方、動作状態が変更された機器がないときは（ステップＳ２１でＮＯ）、更新すべきデータもないのでデータ更新処理を終える。
【００３６】
動作状態が変更された機器があれば、所定の更新条件を満たすと（ステップＳ２２でＹＥＳ）、状態リスト１２における該当機器について現在設定されているモードの欄についてデータを更新する〔ステップＳ２３〕。所定の更新条件は任意の条件を設定可能であるが、例えば変更回数が一定回数（５回や７回等）、一括制御手段１５による制御が行われてから一定時間（５分間や１０分間等）内などが該当する。
【００３７】
ステップＳ２３は記録更新手段１６に相当する。上述した図２のデータ群１２ａを例にすると、例えば夜間に外出する際などで入力装置５０から「外出」を設定指示した後、照明器具３４がオンに操作されると、データ１２ｂを「×」から「○」に変更する。
【００３８】
また、ステップＳ２１によって動作状態が変更された機器が検出されたときは、以下の処理も行う。すなわち上記所定の更新条件を満たさない場合に（ステップＳ２２でＮＯ）、状態リスト１２における該当機器について現在設定されているモードの欄と、検出された機器の動作状態とが不一致であり（ステップＳ２４でＹＥＳ）、かつ動作状態の変更が図３のステップＳ１６で行われた一括制御が要因でなければ（ステップＳ２５でＮＯ）、機器の故障や侵入者による操作等が発生している可能性があるため、データの不一致を報知する〔ステップＳ２６〕。したがって、動作状態が一致していたり（ステップＳ２４でＮＯ）、一括制御を要因とする変更であれば（ステップＳ２５でＹＥＳ）、データは一致しているのでデータ更新処理を終える。
【００３９】
ステップＳ２５において一括制御を要因とする動作状態の変更であるか否かの判別は、例えば図３のステップＳ１６による一括制御を行ってから一定時間（例えば１０秒間や１分間等）内に生じた変更であるか否か、あるいはステップＳ２０の監視時において各機器から送信される信号に一括制御であることを示す情報（例えばタグ情報や識別符号等）が含まれているか否かなどで行う。
【００４０】
ステップＳ２６は報知手段１８に相当し、例えば表示装置５１への表示，スピーカによる音の出力，振動体による振動、ネットワーク７０を介して機器管理システム２０や携帯電話機６０（図６を参照）等への伝達などについて、一の態様で実現するか、複数の態様を組み合わせて実現する。上述したステップＳ２０では、例えば床暖房やエアコン３３等について設定温度の変更や、冷蔵庫について扉開閉に伴う内部温度の上昇等のように、機器の動作状態について変更にかかる具体的な内容を検出できる場合がある。この場合には、どの機器で変更が発生したのかを特定し易くするため、例えば機器の名称，番号，記号等のような機器に関する情報を付加して報知するのが望ましい。
なお、報知する機器や装置を特定する情報（例えばＩＰアドレスやメールアドレス等のようなアドレス、携帯電話機の電話番号等）や、機器に関する情報の種別（例えば機器の名称，番号，記号等）などは、記録媒体１１に予め記憶（登録）しておく。
【００４１】
上述した実施の形態１によれば、以下に表す各効果を得ることができる。
（ａ１）機器の動作状態が変更されたことを監視手段１７が検出すると（図５のステップＳ２１を参照）、一括制御手段１５が検出時のモードに対応する当該機器の動作状態にかかる状態リスト１２のデータを当該変更に合わせて更新した（図５のステップＳ２１を参照）。当該モードで再び設定指示がされると、更新されたデータに基づいて機器の動作状態が制御される。各モードの制御内容を生活スタイルに合わせて自動的に変更するので、設定操作の手間は増えない。
【００４２】
（ａ２）一括制御手段１５による制御が行われた後に機器の動作状態が変更され（図５のステップＳ２１を参照）、かつ所定の更新条件を満たす場合に限って（図５のステップＳ２２を参照）、状態リスト１２のデータを更新した（図５のステップＳ２３を参照）。よって、変更の必要性が高い機器の動作状態にかかるデータのみを更新することができる。
【００４３】
（ａ３）入力装置５０からモードの設定指示が行われたとき、モードを特定する情報と日時に関する情報とを記録媒体１１に記録したので（図３のステップＳ１２を参照）、どのようなタイミングでモードの設定指示が行われるかを把握することができる。また、記録された日時に関する情報と同じ日時等になると（図３のステップＳ１０を参照）、記録されたモードに自動的に設定するので（図３のステップＳ１３を参照）、生活スタイルに合わせてモードが自動的に設定される。よって、モードの設定を自動化することができる。
【００４４】
（ａ４）状態リスト１２に記録された動作状態と検出された動作状態とが一致しないときは（図５のステップＳ２４を参照）、報知手段１８が動作状態の不一致になった機器に関する情報を報知するので（図５のステップＳ２６を参照）、どの機器で異常が発生した可能性があるのかを素早く知ることができる。さらに、機器に関する情報を付加して報知する場合には、どの機器で変更が発生したのかを特定し易くなる。
【００４５】
〔実施の形態２〕
実施の形態２は機器管理システムの実施例であって、図６から図９までを参照しながら説明する。図６には機器管理システムの構成例と接続例を模式的にブロック図で表す。図７には機器管理処理の手続き例をフローチャートで表す。図８には抽出データの一例を表す。図９には修正リストの一例を表す。
なお機器制御装置１０の構成等は実施の形態１と同様であり、図示および説明を簡単にするために実施の形態２では実施の形態１と異なる点について説明する。よって実施の形態１で用いた要素と同一の要素には同一の符号を付して説明を省略する。
【００４６】
図６に表す機器管理システム２０は「センター装置」とも呼ばれ、複数の機器制御装置１０を管理するシステムであって、複数の機器制御装置１０や一以上の携帯電話機６０とともにネットワーク７０に接続されて相互に通信可能になっている。
なお、複数の機器制御装置１０は家庭ごとに一台ずつ設置される点を考慮すると、機器制御装置１０に接続して制御される各機器（図１に表す床暖房器３０や給湯器３１等）は一般的に構成や数量等が異なる。
【００４７】
機器管理システム２０は、状態抽出手段２１，記録修正手段２２，記憶部２３，リスト受信手段２７，リスト送信手段２８，通信手段２９などを有する。少なくとも状態抽出手段２１，記録修正手段２２，リスト受信手段２７，リスト送信手段２８は、それぞれがＲＯＭ等に記憶されたプログラムをＣＰＵが実行することによって実現する。
【００４８】
複数の機器制御装置１０は、個別に各々の記録媒体１１に記録されている状態リスト１２を周期的（例えば１週間ごとや１箇月ごと等）または非周期的（例えば図５のステップＳ２３により状態リスト１２のデータが更新されるごと等）にネットワーク７０を介して機器管理システム２０送信する。リスト受信手段２７は、それぞれの機器制御装置１０から送信された状態リスト１２を通信手段２９を介して受信し、状態リスト２４として記憶部２３に記憶する。記憶部２３は、例えばメモリやディスク記録装置などが該当する。
【００４９】
状態抽出手段２１は、記憶部２３に記憶された一以上の状態リスト２４に基づいて、モードごとに所定の抽出条件を満たす機器の動作状態を抽出する。記録修正手段２２は、状態抽出手段２１によって抽出された機器の動作状態に基づいて、基準リスト２５における該当個所を修正して修正リスト２６を作成する。リスト送信手段２８は、複数の機器制御装置１０における各記録媒体１１に記録するために、修正リスト２６を通信手段２９を介して送信する。
【００５０】
上述のように構成された機器管理システム２０において、状態リストの管理を行う例について図７を参照しながら説明する。なお、図７の機器管理処理は機器管理システム２０の電源がオンである間に繰り返し実行される。
【００５１】
図７の機器管理処理において、複数の機器制御装置１０は機器管理システム２０によって管理され、各機器制御装置１０は記録媒体１１に記録されている状態リスト１２を送信する手段を備える。これらの複数の機器制御装置１０のうちで一以上の機器制御装置１０から状態リスト１２が送信されると、ネットワーク７０を介して状態リスト１２を受信し（ステップＳ３０でＹＥＳ）、受信した状態リスト１２を状態リスト２４として記憶部２３に記憶する〔ステップＳ３１〕。ステップＳ３０，Ｓ３１はリスト受信手段２７に相当する。
【００５２】
抽出修正のタイミングに達すると（ステップＳ３２でＹＥＳ）、記憶部２３に記憶された一以上の状態リスト２４に基づいて、モードごとに所定の抽出条件を満たす機器の動作状態を抽出する〔ステップＳ３３〕。ステップＳ３３は状態抽出手段２１に相当する。なお、所定の抽出条件は任意の条件を設定可能であるが、例えば更新回数が一定回数（５回や７回等）に達したこと、同一モードで同一機器の動作状態についての更新が一定比率（５％や１０％等）に達したこと、一定時間（１時間や１日間等）内に更新が二回以上行われたことなどが該当する。この抽出条件を満たすデータをまとめた例が図８である。
【００５３】
図８に表す抽出データ８０は記憶部２３に記憶される。上から１項目は、季節が「夏」に「外出」モードで「照明器具」がオンに変更されたので、更新データが「○」になったことを意味する。２項目は、季節が「夏」に「外出」モードで「給湯器」がオフに変更されたので、更新データが「×」になったことを意味する。３項目は、季節が「夏」に「就寝」モードで「コンロ」がオフに変更されたので、更新データが「×」になったことを意味する。４項目は、季節が「冬」に「留守番」モードで「コンロ」がオフに変更されたので、更新データが「×」になったことを意味する。以下同様の意味で抽出されたデータは、抽出データ８０に設定される。なお、抽出データ８０の内容は機器管理システム２０に備えた表示装置や印刷装置等に表示できるように構成すると、確認が容易に行える。さらには抽出データ８０の内容を編集できるように構成してもよい。
【００５４】
ステップＳ３３の実行によって抽出された機器の動作状態に基づいて、すなわち上記抽出データ８０に基づいて、基準リスト２５における該当個所を修正して修正リスト２６を作成する〔ステップＳ３４〕。ステップＳ３４は記録修正手段２２に相当する。基準リスト２５を図２に表す状態リスト１２と同一のデータ内容と仮定し、かつ図８の抽出データ８０（４つの項目）に従って修正すると、図９に表す修正リスト２６になる。当該図９では、修正したデータの部分を太線で囲って表している。この修正リスト２６の内容は機器管理システム２０に備えた表示装置や印刷装置等に表示できるように構成すると、確認が容易に行える。さらには修正リスト２６の内容を編集できるように構成してもよい。
【００５５】
機器管理システム２０が管理する全ての機器制御装置１０における記録媒体１１に記録（もしくは更新）するために修正リスト２６を通信手段２９を介して送信する〔ステップＳ３５〕。ステップＳ３５はリスト送信手段２８に相当する。上述した例では、図９に表す修正リスト２６を各機器制御装置１０に送信して、記録媒体１１に記録する。
【００５６】
上述した実施の形態２によれば、以下に表す各効果を得ることができる。
（ｂ１）ネットワーク７０を介して各機器制御装置１０から送信された状態リスト１２を受信すると状態リスト２４として記憶部２３に記憶し（図７のステップＳ３０，Ｓ３１を参照）、所定の抽出条件を満たす機器の動作状態を抽出し（図７のステップＳ３３を参照）、基準リスト２５における該当個所を修正して修正リスト２６を作成し（図７のステップＳ３４を参照）、作成した修正リスト２６を各機器制御装置１０に送信して記録媒体１１に状態リスト１２として記録させた（図７のステップＳ３５を参照）。修正リスト２６は、修正時における平均的な生活スタイルを反映した状態リストになる。生活スタイルは年々変化してゆくので、その年々に合わせた標準的な状態リスト１２を提供し、機器の動作状態を変更するための設定操作を減らすことができる。
【００５７】
（ｂ２）その他の要件，構成，作用等については実施の形態１と同様であるので、当該実施の形態１と同様の効果が得られる｛上述した事項（ａ１）〜（ａ４）を参照｝。
【００５８】
〔実施の形態３〕
実施の形態３は、実施の形態１と同様に機器制御装置の実施例であるが、在宅者に応じてモードを自動的に設定する点が実施の形態１と異なる。当該実施の形態３は、図１０，図１１を参照しながら説明する。
なお機器制御装置１０の構成等は実施の形態１と同様であり、図示および説明を簡単にするために実施の形態２では実施の形態１と異なる点について説明する。よって実施の形態１で用いた要素と同一の要素には同一の符号を付して説明を省略する。
【００５９】
図１０は図１に代わる機器制御装置の構成例である。図１の構成例と異なるのは、機器制御装置１０に在宅者特定手段１Ａを備える点や、記録媒体１１に在宅者特定情報１Ｂと在宅者対応モード情報１Ｃを記録する点、状態リスト１２に記録するデータの内容などである。在宅者特定情報１Ｂは認証等による検出を行って在宅者を特定するために必要な情報であって、例えば家族構成や、携帯電話機６０を特定する情報（例えばメールアドレス等や電話番号等）、バイオメトリクス認証（指紋，掌紋，網膜紋，血管網，声紋等）を行うための情報等が該当する。在宅者特定手段１Ａは、外出者が携帯する携帯電話機６０を通じて伝達される信号を受けて在宅者特定情報１Ｂを参照し、記録されている家族構成等と比較して検出を行い、在宅者（家族の構成員や来客等）を特定する。在宅者対応モード情報１Ｃには在宅者とモードとの対応関係を規定する。対応関係は、１人対１モードの関係に限らず、複数人対１モードの関係や、１人対複数モードの関係もあり得る。状態リスト１２には、図２に表した生活シーンごとのモードに代えて（あるいは加えて）、在宅者ごとのモードに分け、各モードについて各機器の動作状態を対応させたデータで構成する。在宅者ごとのモードは任意に設定可能であり、例えば家族全員／父親不在の母娘／親不在の幼児（または小児）／子供不在の親／高齢者／来客などが該当する。
【００６０】
上述のように構成された機器制御装置１０において、機器の一括制御を行う例について図１１を参照しながら説明する。なお、図１１の一括制御処理は機器制御装置１０の電源がオンである間に並行して繰り返し実行される。
【００６１】
図１１の一括制御処理において、在宅者を特定する〔ステップＳ４０〕。この特定は、在宅者そのものを検知することで特定してもよく、外出者と家族構成等とを比較して在宅者を特定してもよい。後者の場合は、外出者が携帯電話機６０から「外出」を表す信号を機器制御装置１０に伝達すると、在宅者特定手段１Ａが記録媒体１１に記録された在宅者特定情報１Ｂを参照して在宅者を特定する。特定方法は、認証結果等に従って特定してもよく、家族構成等から外出者を除外して特定してもよい。
【００６２】
ステップＳ４０で特定された在宅者が前回特定した在宅者と比較して変更があったときは（ステップＳ４１でＹＥＳ）、特定された在宅者の情報に基づいて在宅者対応モード情報１Ｃを参照して対応関係にあるモードを選択する〔ステップＳ４２〕。モードの選択方法は任意であって、例えば在宅者の情報に基づき在宅者対応モード情報１Ｃを検索した結果に従ってモードを選択したり、在宅者の情報が識別子（番号やアドレス等）であれば当該識別子に対応するモードを在宅者対応モード情報１Ｃを参照して選択する。
ステップＳ４２で選択されたモードに変更するか新規に記録する必要があるため、状態リスト１２を参照して在宅者に対応するモードが存在するか否かを判別する。もし在宅者に対応するモードが存在すれば（ステップＳ４３でＹＥＳ）、そのモードに変更する〔ステップＳ４４〕。
【００６３】
一方、在宅者に対応するモードが存在しなければ（ステップＳ４３でＮＯ）、現時点における各機器の動作情報を入力し〔ステップＳ４５〕、在宅者に対応する新規のモードを状態リスト１２に追加して記録するとともに当該新規のモードを設定する〔ステップＳ４６〕。新規のモードはステップＳ４０で特定した現在の在宅者（例えば母，幼児等）になり、各機器のオン／オフ等とともに状態リスト１２に追加して記録する。
【００６４】
ステップＳ４４やステップＳ４６を実行した後は、それぞれ現在の日付，曜日，時刻，気温（室温），天候等に基づいて他の事項を自動的に設定し〔ステップＳ１４〕、状態リスト１２から動作状態のデータを読み出し〔ステップＳ１５〕、読み出したデータ内容に従って各機器の動作を一括に制御する〔ステップＳ１６〕。
【００６５】
上述した実施の形態３によれば、以下に表す各効果を得ることができる。
（ｃ１）機器の動作状態が変更されたことを監視手段１７が検出すると（図５のステップＳ２１を参照）、一括制御手段１５が検出時のモードに対応する当該機器の動作状態にかかる状態リスト１２のデータを当該変更に合わせて更新した（図５のステップＳ２１を参照）。また、外出などで在宅者特定手段１Ａによって特定された在宅者に変更があれば（図１１のステップＳ４０を参照）、在宅者の情報に基づいて在宅者対応モード情報１Ｃを参照して対応関係にあるモードを選択し（図１１のステップＳ４２を参照）、選択されたモードに変更した（図１１のステップＳ４４を参照）。各モードの制御内容を生活スタイルに合わせて自動的に変更するので、設定操作の手間は増えない。また、新規のモードを記録媒体１１に記録したうえで設定したので（図１１のステップＳ４６を参照）、在宅者を考慮してモードを自動的に記録するので、設定操作の手間は増えない。
【００６６】
（ｃ２）その他の要件，構成，作用等については実施の形態１と同様であるので、当該実施の形態１と同様の効果が得られる｛上述した事項（ａ１）〜（ａ４）を参照｝。
【００６７】
〔他の実施の形態〕
以上では本発明を実施するための最良の形態について実施の形態１〜３に従って説明したが、本発明は当該形態に何ら限定されるものではない。言い換えれば、本発明の要旨を逸脱しない範囲内において、種々なる形態で実施することが可能である。例えば、次に表す各形態を実現してもよい。
【００６８】
（ｄ１）上述した実施の形態１では、入力装置５０からモードの設定指示を行う構成とした。この形態に代えて、他の端末装置（例えば図６に表す携帯電話機６０等）からネットワーク７０を介して指示が行えるように構成してもよい。さらには、どの端末装置からでも指示できるか、特定の端末装置のみから指示できるかを選択可能に構成するのが望ましい。こうすれば、利用者が生活スタイルに合わせて指示を行うことができる。
【００６９】
（ｄ２）実施の形態１，２では、機器の動作状態はオン／オフ／現状維持のみで制御する構成とした（図２，図９を参照）。この形態に代えて、機器が制御する制御量を加えてもよい。当該制御量としては、例えば床暖房器３０，給湯器３１，エアコン３３などでは温度、エアコン３３などでは湿度、給湯器３１などでは湯量、照明器具３４などでは照度、コンロ３２や電磁調理器などでは火力、センサ端末では感度等が該当する。この場合、状態リスト１２，２４や基準リスト２５には、オン／オフ／現状維持のデータとともに制御量のデータを記録するのが望ましい。また、図３のステップＳ１２ではモード特定情報１３や時期情報１４とともに制御量を記録し、図５のステップＳ２３では変更された制御量を更新し、図７のステップＳ３３では抽出条件として制御量を設定しておき、図７のステップＳ３４では抽出データに従って制御量を修正するのが望ましい。こうすれば、温度（室温や湯温等）を上下させたり、湯量を上下させる等のように、各機器の制御についてきめ細かな設定を行うことができる。
【００７０】
（ｄ３）実施の形態１，２では、状態リスト１２，２４や基準リスト２５、修正リスト２６は、生活シーンを在宅／外出／居留守／留守番／就寝／帰宅直前に分けたモードとし、他の事項としての季節を夏／冬に分けて記録する構成とした（図２，図９を参照）。この形態に代えて、他のモードや他の事項で記録する構成としてもよい。他のモードには、「就寝」に対応した「起床」や、学校・勤務等のように長時間「外出」に対応して買い物等のように短時間の「お出かけ」などが該当する。他の事項には、例えば季節（春／秋）、暦（平日／休日／曜日など）、期間（午前／午後／終日／昼間／夜間など）等が該当する。モードや他の事項を増やすことにより、一括制御をきめ細かく行うことができる。
【００７１】
（ｄ４）実施の形態１，２では、一括制御手段１５による各機器の制御はほぼ同時に各機器に信号を送って制御する構成とした。この形態に代えて、機器制御装置１０に接続される機器のうちで一以上の機器について、時間差（タイムラグ）を設けて信号を送って制御する構成としてもよい。図２に表す状態リスト１２を例とし、センサ端末を除くと、「夏」におけるモード「帰宅直前」では給湯器３１，エアコン３３および照明器具３４をオンに制御する。モード「帰宅直前」を設定指示した時点を基準時として、例えば帰宅したときに既に屋内が涼しくなっているように設定指示と同時にエアコン３３をオンし、帰宅時に点くように１５分後に照明器具３４をオンし、さらに雑用を済ませてから風呂に入れるように３０分後に給湯器３１をオンにするというケースが考えられる。時間差のデータは、状態リスト１２において「○」や「×」とともに記録しておくことで実現できる。こうすれば、家人の行動パターンに合わせて機器の制御をきめ細かく行える。
【００７２】
（ｄ５）実施の形態１，２では、状態リスト１２，２４や基準リスト２５、修正リスト２６は固定のテーブルで構成した（図２，図９を参照）。この形態に代えて、リストに新たなモードを追加する構成や、リストから不要なモードを削除する構成としてもよい。
状態リスト１２を例に説明する。モードを追加するモード追加手段は、記録媒体１１に状態リスト１２として記録されたモード以外の新たなモードについて、各機器の動作状態と対応させたデータを追加して記録する機能を有する。例えば上述した他のモード（「起床」や「お出かけ」など）が該当する。モードを削除するモード削除手段は、記録媒体１１に状態リスト１２として記録されたモードのうちで不要なモードについて、状態リスト１２から削除する機能を有する。モード追加手段およびモード削除手段とのうちで一方または双方を機器制御装置１０に備える。
【００７３】
予め記録媒体１１に記録されたモードのままでは、生活スタイルと合わない場合もある。モード追加手段によって新たなモードを追加したり、モード削除手段によって不要なモードを削除することができる。したがって、生活スタイルに合わせてモードの追加／削除を行うことが可能になる。
【００７４】
機器制御装置１０は状態リスト１２を周期的または非周期的に機器管理システム２０に送信するので、前回の送信から次回の送信までの間にモードが追加／削除された場合には追加／削除が行われた後の状態リスト１２が機器管理システム２０に送信される。したがって、モードの追加／削除も修正リスト２６に反映させることができる。
上述した例では状態リスト１２に適用して説明したが、他のリストに適用する場合でも同様である。また、モードと組み合わせる他の事項（季節，暦，期間など）についても同様に追加したり削除できる手段を備えてもよい。
【００７５】
（ｄ６）実施の形態３では、携帯電話機６０から伝達される信号によって外出者を特定したが、他の携帯端末機（例えばＩＣカード，無線ＩＣタグ等）から伝達される信号によって外出者を特定してもよい。特にＩＣカード，無線ＩＣタグ等には人物を特定する情報を記録できるので、例えば玄関扉の内外に設置したセンサによって外出や帰宅が判別でき、しかもＩＣカード，無線ＩＣタグ等に記録された情報によって外出者を特定できる。つまり誰がいつ外出／帰宅したのかを容易に特定できる。このように外出者が特定できれば、在宅者も特定できる（図１１のステップＳ４０）。
【図面の簡単な説明】
【００７６】
【図１】機器制御装置の構成例を模式的に表すブロック図である。
【図２】状態リストの一例を表す図である。
【図３】一括制御処理の手続き例を表すフローチャートである。
【図４】モード特定情報と時期情報の記録例を表す図である。
【図５】データ更新処理の手続き例を表すフローチャートである。
【図６】機器管理システムの構成例と接続例を模式的に表すブロック図である。
【図７】機器管理処理の手続き例を表すフローチャートである。
【図８】抽出データの一例を表す図である。
【図９】修正リストの一例を表す図である。
【図１０】機器制御装置の構成例を模式的に表すブロック図である。
【図１１】一括制御処理の手続き例を表すフローチャートである。
【符号の説明】
【００７７】
１０  機器制御装置
１１  記録媒体
１２  状態リスト
１３  モード特定情報
１４  時期情報
１５  一括制御手段
１６  記録更新手段
１７  監視手段
１８  報知手段
１９  通信手段
１Ａ  在宅者特定手段
１Ｂ  在宅者特定情報
１Ｃ  在宅者対応モード情報
２０  機器管理システム
２１  状態抽出手段
２２  記録修正手段
２３  記憶部
２４  状態リスト
２５  基準リスト
２６  修正リスト
２７  リスト受信手段
２８  リスト送信手段
２９  通信手段
３０  床暖房器（住宅設備機器；機器）
３１  給湯器（住宅設備機器；機器）
３２  コンロ（住宅設備機器；機器）
３３  エアコン（住宅設備機器；機器）
３４  照明器具（住宅設備機器；機器）
３５  リビング窓開閉センサ（センサ端末；機器）
３６  寝室窓開閉センサ（センサ端末；機器）
３７  玄関窓開閉センサ（センサ端末；機器）
３８  リビング人感センサ（センサ端末；機器）
３９  寝室人感センサ（センサ端末；機器）
４０  廊下人感センサ（センサ端末；機器）
５０  入力装置（端末装置）
５１  表示装置
６０  携帯電話機（端末装置）
７０  ネットワーク
８０  抽出データ
【図１】
2008191757.tif 000003
【図２】
2008191757.tif 000004
【図３】
2008191757.tif 000005
【図４】
2008191757.tif 000006
【図５】
2008191757.tif 000007
【図６】
2008191757.tif 000008
【図７】
2008191757.tif 000009
【図８】
2008191757.tif 000010
【図９】
2008191757.tif 000011
【図１０】
2008191757.tif 000012
【図１１】
2008191757.tif 000013